【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
筐体に収納されるトレイと、
前記トレイに設けられ、前記トレイを前記筐体に収納する際に前記筐体の内部に設けられたロックシャフトに係合して前記トレイを前記筐体に収納された状態に保持するロックアームと、
前記トレイに設けられ、前記トレイを前記筐体から引き出す際に前記ロックシャフトと前記ロックアームとの嵌合を解除するソレノイドと、
前記トレイに設けられ、前記トレイを前記筐体内に収納する際に前記ロックシャフトに押されて回動するリセットアームと、
前記トレイに設けられ、前記トレイを前記筐体内に収納する際に前記リセットアームの動作に連動して回動する第１のリリースアームと、
前記第１のリリースアームの回動軸と上下方向に重なって連結する回動軸を有し、前記第１のリリースアームの回動に連動して前記ソレノイドの可動片を押圧する第２のリリースアームと、
コイル部分が前記第１のリリースアームと前記第２のリリースアームとの連結部に配置され、一方のアーム部は前記第１のリリースアームに取付けられ、他方のアーム部は前記第２のリリースアームに取付けられたリリースアームスプリングと、を具備し、
前記トレイを前記筐体内に収納する際、一方のアーム部と他方のアーム部とがコイル部分を中心に開こうとする力により第１のリリースアームと第２のリリースアームとを連動させ、
前記第２のリリースアームが前記可動片を前記ソレノイド内の所定の位置まで押圧すると、前記第２のリリースアームの移動が停止し、前記一方のアーム部のみが移動自在となり、前記第１のリリースアームと前記第２のリリースアームとの連動が解除され、前記第１のリリースアームのみ独立して回動することを特徴とする光ディスク装置。
【請求項２】
前記第１のリリースアームの主平面部と、前記第２のリリースアームの主平面部とは、前記可動片の主平面部に対して略平行方向で対向することを特徴とする請求項１に記載の光ディスク装置。
【手続補正２】
【補正対象書類名】明細書
【補正対象項目名】００１９
【補正方法】変更
【補正の内容】
【００１９】
本発明は、上記課題を解決するためになされたものであって、筐体に収納されるトレイと、トレイに設けられ、トレイを筐体に収納する際に筐体の内部に設けられたロックシャフトに係合してトレイを筐体に収納された状態に保持するロックアームと、トレイに設けられ、トレイを筐体から引き出す際にロックシャフトとロックアームとの嵌合を解除するソレノイドと、トレイに設けられ、トレイを筐体内に収納する際にロックシャフトに押されて回動するリセットアームと、トレイに設けられ、トレイを筐体内に収納する際にリセットアームの動作に連動して回動する第１のリリースアームと、第１のリリースアームの回動軸と上下方向に重なって連結する回動軸を有し、第１のリリースアームの回動に連動してソレノイドの可動片を押圧する第２のリリースアームと、コイル部分が第１のリリースアームと第２のリリースアームとの連結部に配置され、一方のアーム部は第１のリリースアームに取付けられ、他方のアーム部は第２のリリースアームに取付けられたリリースアームスプリングと、を具備し、トレイを筐体内に収納する際、一方のアーム部と他方のアーム部とがコイル部分を中心に開こうとする力により第１のリリースアームと第２のリリースアームとを連動させ、第２のリリースアームが可動片をソレノイド内の所定の位置まで押圧すると、第２のリリースアームの移動が停止し、一方のアーム部のみが移動自在となり、第１のリリースアームと第２のリリースアームとの連動が解除され、第１のリリースアームのみ独立して回動することを特徴とする光ディスク装置である。
【手続補正３】
【補正対象書類名】明細書
【補正対象項目名】００２０
【補正方法】変更
【補正の内容】
【００２０】
本発明は上記構成により、トレイを筐体内に収納する際、一方のアーム部と他方のアーム部とがコイル部分を中心に開こうとする力により第１のリリースアームと第２のリリースアームとを連動させ、第２のリリースアームが可動片をソレノイド内の所定の位置まで押圧すると、第２のリリースアームの移動が停止し、一方のアーム部のみが移動自在となり、第１のリリースアームと第２のリリースアームとの連動が解除され、第１のリリースアームのみ独立して回動することにより、可動片の位置に応じて、第１のリリースアームと第２のリリースアームとを同時に回動させる場合と、第１のリリースアームのみ回動させる場合と、に使い分けるので、可動片が所定の位置に達したにもかかわらず、更なる移動を強制するオーバーストロークが発生した場合、ソレノイドやリリースアームやリセットアームにかかる負荷を第１のリリースアームのみ回動させることで吸収することができる。
【手続補正４】
【補正対象書類名】明細書
【補正対象項目名】００２１
【補正方法】変更
【補正の内容】
【００２１】
その結果、ソレノイドやリリースアームやリセットアームにかかる負荷を第１のリリースアームのみ回動させることで吸収するので、イジェクトロック機構の寿命に対する信頼性を高めた光ディスク装置を実現することができる。
【手続補正５】
【補正対象書類名】明細書
【補正対象項目名】００２２
【補正方法】変更
【補正の内容】
【００２２】
請求項１記載の発明は、筐体に収納されるトレイと、トレイに設けられ、トレイを筐体に収納する際に筐体の内部に設けられたロックシャフトに係合してトレイを筐体に収納された状態に保持するロックアームと、トレイに設けられ、トレイを筐体から引き出す際にロックシャフトとロックアームとの嵌合を解除するソレノイドと、トレイに設けられ、トレイを筐体内に収納する際にロックシャフトに押されて回動するリセットアームと、トレイに設けられ、トレイを筐体内に収納する際にリセットアームの動作に連動して回動する第１のリリースアームと、第１のリリースアームの回動軸と上下方向に重なって連結する回動軸を有し、第１のリリースアームの回動に連動してソレノイドの可動片を押圧する第２のリリースアームと、コイル部分が第１のリリースアームと第２のリリースアームとの連結部に配置され、一方のアーム部は第１のリリースアームに取付けられ、他方のアーム部は第２のリリースアームに取付けられたリリースアームスプリングと、を具備し、トレイを筐体内に収納する際、一方のアーム部と他方のアーム部とがコイル部分を中心に開こうとする力により第１のリリースアームと第２のリリースアームとを連動させ、第２のリリースアームが可動片をソレノイド内の所定の位置まで押圧すると、第２のリリースアームの移動が停止し、一方のアーム部のみが移動自在となり、第１のリリースアームと第２のリリースアームとの連動が解除され、第１のリリースアームのみ独立して回動することを特徴とするものである。トレイを筐体内に収納する際、一方のアーム部と他方のアーム部とがコイル部分を中心に開こうとする力により第１のリリースアームと第２のリリースアームとを連動させ、第２のリリースアームが可動片をソレノイド内の所定の位置まで押圧すると、第２のリリースアームの移動が停止し、一方のアーム部のみが移動自在となり、第１のリリースアームと第２のリリースアームとの連動が解除され、第１のリリースアームのみ独立して回動することにより、可動片の位置に応じて、第１のリリースアームと第２のリリースアームとを同時に回動させる場合と、第１のリリースアームのみ回動させる場合と、に使い分けるので、可動片が所定の位置に達したにもかかわらず、更なる移動を強制するオーバーストロークが発生した場合、ソレノイドやリリースアームやリセットアームにかかる負荷を第１のリリースアームのみ回動させることで吸収することができる。
【手続補正６】
【補正対象書類名】明細書
【補正対象項目名】００２３
【補正方法】変更
【補正の内容】
【００２３】
その結果、ソレノイドやリリースアームやリセットアームにかかる負荷を第１のリリースアームのみ回動させることで吸収するので、イジェクトロック機構の寿命に対する信頼性を高めた光ディスク装置を実現することができる。
【手続補正７】
【補正対象書類名】明細書
【補正対象項目名】００２４
【補正方法】変更
【補正の内容】
【００２４】
請求項２記載の発明は、第１のリリースアームの主平面部と、第２のリリースアームの主平面部とが、可動片の主平面部に対して略平行方向で対向することを特徴とするものである。第１のリリースアームの主平面部と、第２のリリースアームの主平面部とが、可動片の主平面部に対して略平行方向で対向することにより、第２のリリースアームが可動片を接続したまま回動する際に必要な強度を薄い形状でも確保するので、リリースアームと可動片との接続構成を薄型で実現できる。
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】